(57)【要約】【課題】発熱板の導電体を所望の位置に高精度に配置することを可能にする発熱板用の中間部材を提供する。【解決手段】中間部材は、基材２５と、基材２５上に設けられた導電体と、を有する導電体付きシート２０と、導電体に対面する側から導電体付きシート２０に積層された接合層１３と、を備える。導電体は、電圧を印加されるようになる一対の接続端子部３５と、一対の接続端子部３５を連結する線状導電体４１を含むパターン導電体４０と、を有する。接合層１３は、接続端子部３５及びパターン導電体４０の両方を覆うようにして、導電体付きシート２０と積層されている。接続端子部３５に対面する領域以外の領域において導電体付きシート２０と接合されている。【選択図】図７
2020074269.tif 000002
【特許請求の範囲】
【請求項１】
電圧を印加されると発熱する発熱板に用いられる中間部材であって、
基材と、前記基材上に設けられた導電体と、を有する導電体付きシートと、
前記導電体に対面する側から前記導電体付きシートに積層された接合層と、を備え、
前記導電体は、電圧を印加されるようになる一対の接続端子部と、前記一対の接続端子部を連結する線状導電体を含むパターン導電体と、を有し、
前記接合層は、前記接続端子部及び前記パターン導電体の両方を覆うようにして、前記導電体付きシートと積層され、
前記接合層は、前記接続端子部に対面する領域以外の領域において前記導電体付きシートと接合されており、
隣り合う２つの前記線状導電体の間となる領域での前記接合層の厚さは、前記線状導電体の厚さより厚く、
前記線状導電体は、前記接合層に埋め込まれている、発熱板用の中間部材。
【請求項２】
前記接合層は、前記パターン導電体に対面する領域において導電体付きシートと接合されている、請求項１に記載の発熱板用の中間部材。
【発明の詳細な説明】
【技術分野】
【０００１】
本発明は、電圧を印加されると発熱する発熱板に用いられる中間部材に関する。
【背景技術】
【０００２】
従来、電圧を印加されると発熱する透明な発熱板が種々の分野で用いられている。一例として、特許文献１及び特許文献２に開示されているように、車両のフロントウィンドウやリアウィンドウ等の窓ガラスが例示される。この発熱板は、いわゆるデフロスタ装置を構成するものであり、一対のガラス板と、一対のガラス板の間に設けられた導電体と、を有している。導電体は、一対の接続端子部と、一対の接続端子部を連結する多数の電熱線と、を含んでいる。各接続端子部は、外部の電源及び制御回路に接続される。この従来技術では、一対の接続端子部に電圧を印加した場合に、タングステンやモリブデン等からなる電熱線が、その抵抗加熱により窓ガラスを昇温させる。この結果、窓ガラスの曇りが取り除かれて、又は、窓ガラスに付着した雪や氷が溶かされて、乗員の視界を確保することができる。
【先行技術文献】
【特許文献】
【０００３】
【特許文献１】特開２０１３−１７３４０２号公報
【特許文献２】特開平８−７２６７４号公報
【発明の概要】
【発明が解決しようとする課題】
【０００４】
ところで、上述した従来の発熱板は、一対のガラス間に一対の接合層を配置し、さらに一対の接合層間に導電体を配置した状態で、一対のガラスを加熱加圧することで、発熱板として製造される。導電体をなす接続端子部及び電熱線は、加熱加圧工程前に、一方の接合層上に配置および位置決めされる。さらに、接続端子部上には、発熱板の外部へと延び出す配線等が接続している必要がある。
【０００５】
以上の製造方法における導電体の設置工程は煩雑である。加えて、加熱加圧工程において、導電体が位置決めした位置からずれてしまう可能性もある。すなわち、従来の製造方法で製造された発熱板では、電熱線を所望のパターンで高精度且つ安定して形成することが困難である。発熱板の電熱線のパターンに偏りが生じると、加熱むらが生じてしまい、デフロスタ装置においては部分的に曇りを取り切れないことも想定される。
【０００６】
本件発明者らは、鋭意検討を重ねた結果として、導電体付きシートと導電体付きシートに接合された接合層とを有する中間部材を用いることにより、上述した不具合を解消し得ることを知見した。すなわち、本件発明は、本件発明者らのこのような知見に基づくものであり、発熱板の導電体を所望の位置に高精度に配置することを可能にする発熱板用の中間部材を提供することを目的とする。
【課題を解決するための手段】
【０００７】
本発明による中間部材は、
電圧を印加されると発熱する発熱板に用いられる中間部材であって、
基材と、前記基材上に設けられた導電体と、を有する導電体付きシートと、
前記導電体に対面する側から前記導電体付きシートに積層された接合層と、を備え、
前記導電体は、電圧を印加されるようになる一対の接続端子部と、前記一対の接続端子部を連結する線状導電体を含むパターン導電体と、を有し、
前記接合層は、前記接続端子部及び前記パターン導電体の両方を覆うようにして、前記導電体付きシートと積層され、
前記接続端子部に対面する領域以外の領域において前記導電体付きシートと接合されている。
【０００８】
本発明による中間部材において、接合層は、前記パターン導電体に対面する領域において導電体付きシートと接合されていてもよい。
【発明の効果】
【０００９】
本発明によれば、発熱板の導電体を所望の位置に高精度に配置することができる。
【図面の簡単な説明】
【００１０】
【図１】図１は、本発明による一実施の形態を説明するための図であって、発熱板を備えた乗り物を概略的に示す斜視図である。特に図１では、乗り物の例として発熱板を備えた自動車を概略的に示している。
【図２】図２は、発熱板をその板面の法線方向から示す図である。
【図３】図３は、図２の発熱板の横断面図である。
【図４】図４は、導電体付きシートをそのシート面の法線方向から示す平面図であって、パターン導電体のパターンの一例を示す平面図である。
【図５】図５は、導電体付きシートをそのシート面の法線方向から示す図であって、パターン導電体のパターンの他の例を示す平面図である。
【図６】図６は、図４のＡ−Ａ線に対応する断面図であって、導電細線の断面形状の一例を示す図である。
【図７】図７は、発熱板の製造に用いられる中間部材を示す断面図である。
【図８】図８は、発熱板の製造方法の一例を説明するための図である。
【図９】図９は、発熱板の製造方法の一例を説明するための図である。
【図１０】図１０は、発熱板の製造方法の一例を説明するための図である。
【図１１】図１１は、発熱板の製造方法の一例を説明するための図である。
【図１２】図１２は、発熱板の製造方法の一例を説明するための図である。
【図１３】図１３は、発熱板の製造方法の一例を説明するための図である。
【図１４】図１４は、発熱板の製造方法の一例を説明するための図である。
【図１５】図１５は、発熱板の製造方法の一例を説明するための図である。
【図１６】図１６は、発熱板の製造方法の一例を説明するための図であって、図７の中間部材の接続端子部に接続部を重ねた状態を示す図である。
【図１７】図１７は、発熱板の一変形例を説明するための図である。
【図１８】図１８は、発熱板の他の変形例を説明するための図である。
【図１９】図１９は、発熱板のさらに他の変形例を説明するための図である。
【発明を実施するための形態】
【００１１】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１２】
なお、本明細書において、「板」、「シート」、「フィルム」の用語は、呼称の違いのみに基づいて、互いから区別されるものではない。例えば、「導電体付きシート」は板やフィルムと呼ばれ得るような部材をも含む概念であり、したがって、「導電体付きシート」は、「導電体付き板」や「導電体付きフィルム」と呼ばれる部材と、呼称の違いのみにおいて区別され得ない。
【００１３】
また、「シート面（板面、フィルム面）」とは、対象となるシート状（板状、フィルム状）の部材を全体的かつ大局的に見た場合において対象となるシート状部材（板状部材、フィルム状部材）の平面方向と一致する面のことを指す。
【００１４】
本明細書において、「接合」とは、完全に接合を完了する「本接合」だけでなく、「本接合」の前に仮止めするための、いわゆる「仮接合」をも含むものとする。
【００１５】
さらに、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１６】
図１〜図１６は、本発明による一実施の形態を説明するための図である。まず、図１〜図６を参照して、発熱板１０について説明する。
【００１７】
図１に示されているように、乗り物の一例としての自動車１は、フロントウィンドウ、リアウィンドウ、サイドウィンドウ等の窓ガラスを有している。ここでは、フロントウィンドウ５が発熱板１０で構成されている例を説明する。また、自動車１はバッテリー等の電源７を有している。発熱板１０と電源７は、接続部８によって接続される。
【００１８】
この発熱板１０をその板面の法線方向から示した図が図２である。また、図２の発熱板１０のＩＩＩ−ＩＩＩ線に対応する断面を図３に示す。発熱板１０は、一対の湾曲したガラス板１１，１２と、一対の湾曲したガラス板１１，１２の間に配置された導電体付きシート２０と、ガラス板１１，１２を接合するための接合層１３，１４とを有している。導電体付きシート２０は、基材２５と、基材２５上に設けられた導電体３０とを有している。導電体３０は、電圧を印加されるようになる一対の接続端子部３５と、一対の接続端子部３５を連結する線状導電体４１を含むパターン導電体４０とを有している。
【００１９】
図２及び図３に示した例では、バッテリー等の電源７から、接続部８を介し、導電体付きシート２０の導電体３０に通電し、導電体３０のパターン導電体４０を抵抗加熱により発熱させる。パターン導電体４０で発生した熱は接合層１３，１４を介してガラス板１１，１２に伝わり、ガラス板１１，１２が温められる。これにより、ガラス板１１，１２に付着した結露による曇りを取り除くことができる。また、ガラス板１１，１２に雪や氷が付着している場合には、この雪や氷を溶かすことができる。したがって、乗員の視界が良好に確保される。
【００２０】
ガラス板１１，１２は、特にフロントウィンドウに用いる場合、乗員の視界を妨げないよう可視光透過率が高いものを用いることが好ましい。このようなガラス板１１，１２の材質としては、ソーダライムガラス、青板ガラス等が例示できる。ガラス板１１，１２は、可視光領域における透過率が９０％以上であることが好ましい。ここで、ガラス板１１，１２の可視光透過率は、分光光度計（（株）島津製作所製「ＵＶ−３１００ＰＣ」、ＪＩＳＫ０１１５準拠品）を用いて測定波長３８０ｎｍ〜７８０ｎｍの範囲内で測定したときの、各波長における透過率の平均値として特定される。なお、ガラス板１１，１２の一部または全体に着色するなどして、可視光透過率を低くしてもよい。この場合、太陽光の直射を遮ったり、車外から車内を視認しにくくしたりすることができる。
【００２１】
また、ガラス板１１，１２は、１ｍｍ以上５ｍｍ以下の厚みを有していることが好ましい。このような厚みであると、強度及び光学特性に優れたガラス板１１，１２を得ることができる。
【００２２】
ガラス板１１，１２と導電体付きシート２０とは、それぞれ接合層１３，１４を介して接合されている。このような接合層１３，１４としては、種々の接着性または粘着性を有した材料からなる層を用いることができる。また、接合層１３，１４は、可視光透過率が高いものを用いることが好ましい。典型的な接合層としては、ポリビニルブチラール（ＰＶＢ）からなる層を例示することができる。接合層１３，１４の厚みは、それぞれ０．１５ｍｍ以上０．７ｍｍ以下であることが好ましい。
【００２３】
なお、発熱板１０には、図示された例に限られず、特定の機能を発揮することを期待されたその他の機能層が設けられても良い。また、一つの機能層が二以上の機能を発揮するようにしてもよいし、例えば、発熱板１０のガラス板１１，１２、接合層１３，１４や、後述する導電体付きシート２０の基材２５の少なくとも１つに何らかの機能を付与するようにしてもよい。発熱板１０に付与され得る機能としては、一例として、反射防止（ＡＲ）機能、耐擦傷性を有したハードコート（ＨＣ）機能、赤外線遮蔽（反射）機能、紫外線遮蔽（反射）機能、偏光機能、防汚機能等を例示することができる。
【００２４】
次に、導電体付きシート２０について説明する。導電体付きシート２０は、基材２５と、基材２５上に設けられた導電体３０とを有している。導電体３０は、パターン導電体４０と、電圧を印加されるようになる一対の接続端子部３５と、を有している。各接続端子部３５は、接続部８と接続している。接続部８は、例えば金属線からなる配線として、導電体３０と電源７とを電気的に接続している。導電体付きシート２０は、ガラス板１１，１２と略同一の平面寸法を有して、発熱板１０の全体にわたって配置されてもよいし、運転席の正面部分等、発熱板１０の一部にのみ配置されてもよい。
【００２５】
基材２５は、導電体３０を支持する基材として機能する。基材２５は、可視光線波長帯域の波長（３８０ｎｍ〜７８０ｎｍ）を透過する一般に言うところの透明である電気絶縁性の基板である。
【００２６】
基材２５に含まれる熱可塑性樹脂としては、可視光を透過する熱可塑性樹脂であればいかなる樹脂でもよいが、例えば、ポリメチルメタクリレート等のアクリル樹脂、ポリプロピレン等のポリオレフィン樹脂、ポリエチレンテレフタレート等のポリエステル樹脂、トリアセチルセルロース（三酢酸セルロース）等のセルロース系樹脂、ポリ塩化ビニル、ポリスチレン、ポリカーボネート樹脂、ＡＳ樹脂等を挙げることができる。とりわけ、アクリル樹脂やポリプロピレンは、光学特性に優れ、成形性が良いので好ましい。
【００２７】
また、基材２５は、製造中のパターン導電体４０の保持性や、光透過性等を考慮すると、０．０３ｍｍ以上０．１５ｍｍ以下の厚みを有していることが好ましい。
【００２８】
次に、導電体３０について説明する。導電体３０は、接続端子部３５とパターン導電体４０とを有している。接続端子部３５は、接続部８と接続する端子である。各接続端子部３５は、線状に形成され、導電体付きシートの端縁に沿って延びている。各接続端子部３５は、その全長に渡って一定の電圧に維持されるよう、十分な幅を持っている。この接続端子部３５は、例えば後述するパターン導電体４０と同様の材料を用いて形成される。
【００２９】
図４〜図６を参照して、パターン導電体４０について説明する。図４及び図５は、導電体付きシート２０をそのシート面の法線方向から見た平面図であって、パターン導電体４０の配置パターンの一例を示す図である。
【００３０】
パターン導電体４０は、一対の接続端子部３５の間を接続する線状導電体４１を有している。パターン導電体４０は、バッテリー等の電源７から、接続部８及び接続端子部３５を介して通電され、抵抗加熱により発熱する。そして、この熱が接合層１３，１４を介してガラス板１１，１２に伝わることで、ガラス板１１，１２が温められる。
【００３１】
図４に示された例では、パターン導電体４０では、線状導電体４１が多数の開口４３を画成するメッシュ状のパターンで配置されている。パターン導電体４０は、２つの分岐点４２の間を延びて、開口４３を画成する複数の接続要素４４を含んでいる。すなわち、パターン導電体４０の線状導電体４１は、両端において分岐点４２を形成する多数の接続要素４４の集まりとして構成されている。とりわけ図示された例では、分岐点４２において、３つの接続要素４４が等角度で接続されることにより、６つの線状導電体４１で囲まれた同一形状のハニカム状の開口４３が多数画成されている。
【００３２】
図示された例では、パターン導電体４０は、同一形状のハニカム状の開口４３が規則的に配置されたメッシュパターンを有しているが、このようなメッシュパターンに限られず、三角形、矩形等の同一形状の開口４３が規則的に配置されたメッシュパターン、異形状の開口４３が規則的に配置されたメッシュパターン、ボロノイメッシュのような、異形状の開口４３が不規則的に配置されたメッシュパターン等、種々のメッシュパターンを用いることができる。更に、パターン導電体４０のパターンは、メッシュパターンに限られない。図５に示されたパターン導電体４０は、一対の接続端子部３５を連結する複数の線状導電体４１を有しており、複数の線状導電体４１は、互いから離間して配置されている。
各線状導電体４１は、直線状、折れ線状、波線状又は正弦波状等のパターンで一対の接続端子部３５の間を延びていてもよい。
【００３３】
このようなパターン導電体４０を構成するための材料としては、例えば、金、銀、銅、白金、アルミニウム、クロム、モリブデン、ニッケル、チタン、パラジウム、インジウム、タングステン、及び、これらの合金の一以上を例示することができる。
【００３４】
図６は、図４のＡ−Ａ線に対応する断面図であって、線状導電体４１の断面形状の一例を示す図である。基材２５上に、パターン導電体４０をなす複数の線状導電体４１が形成されている。図示された例では、線状導電体４１は、基材２５側の面４１ａ、基材２５の反対側の面４１ｂ及び側面４１ｃ，４１ｄを有し、全体として略長方形の断面を有している。線状導電体４１の幅Ｗ、すなわち、基材２５のシート面に沿った幅Ｗは、２μｍ以上２０μｍ以下とし、高さ（厚さ）Ｈ、すなわち、基材２５のシート面への法線方向に沿った高さ（厚さ）Ｈは１μｍ以上６０μｍ以下とすることが好ましい。このような寸法の線状導電体４１によれば、その線状導電体４１が十分に細線化されているので、パターン導電体４０を効果的に不可視化することができる。
【００３５】
また、線状導電体４１は、基材２５上に設けられた第１の暗色層４６、第１の暗色層４６上に設けられた導電性金属層４５、及び、導電性金属層４５上に設けられた第２の暗色層４７を含んでいる。言い換えると、導電性金属層４５の表面のうち、基材２５側の面を第１の暗色層４６が覆っており、導電性金属層４５の表面のうち、基材２５と反対側の面及び両側面を第２の暗色層４７が覆っている。
【００３６】
金属材料からなる導電性金属層４５は、比較的高い反射率を呈する。そして、パターン導電体４０の線状導電体４１をなす導電性金属層４５によって光が反射されると、その反射した光が視認されるようになり、乗員の視界を妨げる場合がある。また、外部から導電性金属層４５が視認されると、意匠性が低下する場合がある。そこで、暗色層４６，４７が、導電性金属層４５の表面の少なくとも一部分に配置されている。暗色層４６，４７は、導電性金属層４５よりも可視光の反射率が低い層であればよく、例えば黒色等の暗色の層である。この暗色層４６，４７によって、導電性金属層４５が視認されづらくなり、乗員の視界を良好に確保することができる。また、外部から見たときの意匠性の低下を防ぐことができる。
【００３７】
次に、発熱板１０の製造方法について説明する。なお、以下に説明する製造方法において、発熱板１０は、中間部材９９を用いて製造される。まずは、中間部材９９及びその製造方法について説明し、その後に、中間部材９９を用いた発熱板１０の製造方法について説明する。
【００３８】
図７に示すように、中間部材９９は、導電体付きシート２０と、導電体付きシート２０に積層された接合層１３と、を有している。このうち、導電体付きシート２０は、既に詳述した発熱板１０の導電体付きシート２０をなすようになる。したがって、中間部材９９の導電体付きシート２０は、上述した発熱板１０の導電体付きシート２０と同様の構成を有している。一方、接合層１３は、既に詳述した発熱板１０の接合層１３をなすようになる。ただし中間部材９９において、導電体付きシート２０と接合層１３は、接続端子部３５を取り付けている領域及びその近傍を除く領域でのみ接合されている。
【００３９】
次に、中間部材９９の製造方法およびこの中間部材９９を用いた発熱板１０の製造方法について説明する。
【００４０】
まずは図８〜図１５を参照して、導電体付きシート２０の製造方法の一例について説明する。図８〜図１５は、導電体付きシート２０の製造方法の一例を順に示す断面図である。
【００４１】
まず、図８に示すように、基材２５を準備する。基材２５は、可視光線波長帯域の波長（３８０ｎｍ〜７８０ｎｍ）を透過する一般に言うところの透明である電気絶縁性の基板である。
【００４２】
次に、図９に示すように、基材２５上に第１の暗色層４６を設ける。例えば、電界めっき及び無電界めっきを含むめっき法、スパッタリング法、ＣＶＤ法、ＰＶＤ法、イオンプレーティング法、又はこれらの二以上を組み合わせた方法により、基材２５上に第１の暗色層４６を設けることができる。なお、第１の暗色層４６の材料としては、種々の公知のものを用いることができる。例えば窒化銅、酸化銅、窒化ニッケル等が例示できる。
【００４３】
次に、図１０に示すように、第１の暗色層４６上に導電性金属層４５を設ける。導電性金属層４５は、上述したように、金、銀、銅、白金、アルミニウム、クロム、モリブデン、ニッケル、チタン、パラジウム、インジウム、タングステン、及び、これらの合金の一以上からなる層である。導電性金属層４５は、公知の方法で形成され得る。例えば、耐候性接着剤等を用いて銅箔等の金属箔を貼着する方法、電界めっき及び無電界めっきを含むめっき法、スパッタリング法、ＣＶＤ法、ＰＶＤ法、イオンプレーティング法、又はこれらの二以上を組み合わせた方法を採用することができる。
【００４４】
次に、図１１に示すように、導電性金属層４５上に、レジスト層４８を設ける。レジスト層４８は、例えば特定波長域の光、例えば紫外線に対する感光性を有する樹脂層である。この樹脂層は、樹脂フィルムを貼着して形成してもよいし、流動性の樹脂をコーティングすることにより形成してもよい。また、レジスト層４８の具体的な感光特性は特に限られない。例えば、レジスト層４８として、光硬化型の感光材が用いられてもよく、若しくは、光溶解型の感光材が用いられてもよい。
【００４５】
その後、図１２に示すように、レジスト層４８をパターニングして、レジストパターン４９を形成する。レジスト層４８をパターニングする方法としては、公知の種々の方法が採用することができるが、この例では、レジスト層４８として、特定波長域の光、例えば紫外線に対する感光性を有する樹脂層を用い、公知のフォトリソグラフィー技術を用いてパターニングしている。まず、レジスト層４８上に、パターン化したい部分を開口したマスク、又は、パターン化したい部分を遮蔽したマスクを配置し、このマスクを介してレジスト層４８に紫外線を照射する。その後、紫外線がマスクにより遮蔽された部分、又は、紫外線が照射された部分を現像等の手段により除去する。これにより、パターニングされたレジストパターン４９を形成することができる。
【００４６】
次に、図１３に示すように、レジストパターン４９をマスクとして、導電性金属層４５及び第１の暗色層４６をエッチングする。このエッチングにより、導電性金属層４５及び第１の暗色層４６がレジストパターン４９と略同一のパターンにパターニングされる。エッチング方法は特に限られることはなく、公知の方法が採用できる。公知の方法としては、例えば、エッチング液を用いるウェットエッチングや、プラズマエッチングなどが挙げられる。その後、図１４に示すように、レジストパターン４９を除去する。
【００４７】
最後に、図１５のように導電性金属層４５の基材２５の反対側の面４１ｂ及び側面４１ｃ，４１ｄに第２の暗色層４７を形成する。第２の暗色層４７は、例えば導電性金属層４５をなす材料の一部分に暗色化処理（黒化処理）を施して、導電性金属層４５をなしていた一部分から、金属酸化物や金属硫化物からなる第２の暗色層４７を形成することができる。また、暗色材料の塗膜や、ニッケルやクロム等のめっき層等のように、導電性金属層４５の表面に第２の暗色層４７を設けるようにしてもよい。また、導電性金属層４５の表面を粗化して第２の暗色層４７を設けるようにしてもよい。
【００４８】
図１５に示された例では、導電性金属層４５の基材２５の反対側の面４１ｂ及び側面４１ｃ，４１ｄに第２の暗色層４７を形成したが、これに限られず、導電性金属層４５の基材２５の反対側の面４１ｂのみ、又は、導電性金属層４５の側面４１ｃ，４１ｄのみに第２の暗色層４７を形成してもよい。
【００４９】
導電性金属層４５の基材２５の反対側の面４１ｂのみに第２の暗色層４７を形成する場合は、例えば、図１０に示した工程の後に、導電性金属層４５上に第２の暗色層４７及びレジスト層４８をこの順に設け、レジスト層４８をパターニングしてレジストパターン４９を形成する。その後、レジストパターン４９をマスクとして、第２の暗色層４７、導電性金属層４５及び第１の暗色層４６をエッチングすればよい。
【００５０】
また、導電性金属層４５の側面４１ｃ，４１ｄのみに第２の暗色層４７を形成する場合は、例えば、図１３に示した工程の後に、レジストパターン４９を除去せずに第２の暗色層４７を形成し、その後、レジストパターン４９を除去すればよい。
【００５１】
なお、第１の暗色層４６が必要ない場合には、図９に示した、基材２５上に第１の暗色層４６を設ける工程を省略すればよい。
【００５２】
以上のようにして導電体付きシート２０が製造される。次に、導電体付きシート２０にパターン導電体４０の側から接合層１３を積層し、導電体付きシート２０及び接合層１３を接合することにより、中間部材９９が製造される。導電体付きシート２０及び接合層１３の接合は、最終的な発熱板１０中での接合強度と同程度の接合強度で接合する本接合であってもよいし、最終的な発熱板１０中での接合強度よりも弱い接合強度で接合する仮接合であってもよい。一例として、導電体付きシート２０及び接合層１３の接合は、加熱加圧、例えば最終的な発熱板１０を作製する際の加熱加圧工程よりも低圧力及び／又は低温にて、加熱加圧工程を実施することによって達成され得る。或いは、接合層１３の表面の一部分に粘着性を付与しておくことにより、導電体付きシート２０及び接合層１３を接合することもできる。
【００５３】
中間部材９９において、接合層１３は、導電体付きシート２０の接続端子部３５及びパターン導電体４０が設けられている領域を覆うようにして、導電体付きシート２０と積層されている。ただし、接合層１３は、導電体付きシート２０の接続端子部３５が設けられている領域と接合されていない。接合層１３は、接続端子部３５に対面する領域以外の領域において導電体付きシート２０と接合されている。例えば、接合層１３は、パターン導電体４０と対面する領域のみにおいて、導電体付きシート２０と接合される。
【００５４】
次に、このようにして得られた中間部材９９を用いて発熱板１０を製造する方法について説明する。まず、図１６に示すように、接続部８をなす金属配線を、中間部材９９の接続端子部３５上に配置する、又は、接続端子部３５に接続する。このとき、接合層１３は、電体付きシート２０の接続端子部３５が設けられている領域を覆っているが、電体付きシート２０の当該領域に接合されてはいない。したがって、接合層１３をめくることにより、接続部８をなす金属配線を、中間部材９９の接続端子部３５に容易に接触させることができる。
【００５５】
次に、中間部材９９に対し、接合層１３の側からガラス板１１を積層し、導電体付きシート２０の側から接合層１４及びガラス板１２をこの順番で積層する。その後、この積層物を加熱加圧することにより、発熱板１０が製造される。なお、中間部材９９において、パターン導電体４０を含む導電体３０は、基材２５上で固定されている。また、接続部８は、中間部材９９において接続端子部３５と接合層１３との間に狹持された状態となっている。したがって、積層工程及び加熱加圧工程を容易に行うことができるとともに、この工程中に、電体付きシート２０のパターン導電体４０及び接続端子部３５、並びに、接続部８が、位置決めされた所望の位置からずれてしまうことを効果的に防止することができる。
【００５６】
以上のような本実施の形態によれば、発熱板１０が中間部材９９を用いて製造されている。この中間部材９９は、電圧を印加されると発熱する発熱板１０に用いられるものであり、基材２５と、基材２５上に設けられた導電体３０と、を有する導電体付きシート２０と、導電体３０に対面する側から導電体付きシート２０に積層された接合層１３と、を有している。導電体３０は、電圧を印加されるようになる一対の接続端子部３５と、それらの接続端子部３５を連結する線状導電体４１を含むパターン導電体４０と、を有している。接合層１３は接続端子部３５及びパターン導電体４０の両方を覆うようにして導電体付きシート２０と積層され、接続端子部３５に対面する領域以外の領域において導電体付きシート２０と接合されている。したがって、所望のパターンでパターン導電体４０を高精度に作製することができる。また、加熱加圧中にパターン導電体４０がずれにくい。また、接続端子部３５が設けられた部分において、接合層１３は導電体付きシート２０と接合されていない。よって接続端子部３５と接続部８とを容易且つ確実に接続することができる。以上のことから加熱加圧工程を極めて容易且つ確実に実施することができる。
【００５７】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【００５８】
例えば、導電体付きシート２０のパターン導電体４０は、基材２５のガラス板１１側の面上ではなく、ガラス板１２側の面上に設けてもよい。また、基材２５のガラス板１１側及びガラス板１２側の両面に設けてもよい。
【００５９】
また、中間部材９９が、図１７のように基材２５と暗色層４６の間に設けられた剥離層２７をさらに有するようにしてもよい。この中間部材９９を用いる場合、ガラス板１１と中間部材９９の接合後に、中間部材９９から基材２５を剥離することができる。剥離層２７としては、例えば界面剥離型の剥離層、層間剥離型の剥離層、凝集剥離型の剥離層等を用いることができる。界面剥離型の剥離層としては、基材２５との密着性と比べて、接合層１３及びパターン導電体４０との密着性が相対的に低い剥離層を好適に用いることができる。このような層としては、シリコーン樹脂層、フッ素樹脂層、ポリオレフィン樹脂層等が挙げられる。また、接合層１３及びパターン導電体４０との密着性と比べて、基材２５との密着性が相対的に低い剥離層を用いることもできる。層間剥離型のものとしては、複数層のフィルムを含み、接合層１３及びパターン導電体４０や、基材２５との密着性と比べて、当該複数層間相互の密着性が相対的に低い剥離層を例示することができる。凝集剥離型のものとしては、連続相としてのベース樹脂中に分散相としてのフィラーを分散させた剥離層を例示することができる。
【００６０】
剥離層２７を有した中間部材９９を用いた場合、次のようにして発熱板を作製することができる。まず、図１８に示されているように、導電体付きシート２０の基材２５を、剥離層４２を用いて中間部材９９から剥離し、中間部材９９から除去する。剥離層２７として、基材２５との密着性と比べて、接合層１３及びパターン導電体４０との密着性が相対的に低い層を有する界面剥離型の剥離層を用いた場合、剥離層２７と接合層１３及びパターン導電体４０との間で剥離される。この場合、剥離層２７が、接合層１３及びパターン導電体４０側に残らないようにすることができる。すなわち、基材２５は、剥離層２７とともに、中間部材９９から除去される。このようにして基材２５及び剥離層２７が除去された中間部材９９において、パターン導電体４０の線状導電体４１間に、接合層１３が露出するようになる。次に、この露出した接合層１３にガラス板１２を接合することにより、図１９に示された発熱板１０が製造される。図１９に示された発熱板１０は、基材２５を含んでいない。したがって、導電体３０で発熱した熱がより効率的にガラス板１２に伝達されるようになる。
【００６１】
その一方で、剥離層２７として、接合層１３及びパターン導電体４０との密着性と比べて、基材２５との密着性が相対的に低い界面剥離型の剥離層を用いた場合には、剥離層２７と基材２５との間で剥離が生じるようになる。剥離層２７として、複数層のフィルムを有し、接合層１３及びパターン導電体４０や、基材２５との密着性と比べて、当該複数層間相互の密着性が相対的に低い層間剥離型の剥離層を用いた場合には、当該複数層間で剥離が生じるようになる。剥離層２７として、連続相としてのベース樹脂中に分散相としてのフィラーを分散させた凝集剥離型の剥離層を用いた場合には、剥離層２７内での凝集破壊による剥離が生じる。その後、剥離層２７の側から接合層１４を用いてガラス板１２を接合することにより、発熱板１０が製造される。
【００６２】
発熱板１０は、自動車１のリアウィンドウ、サイドウィンドウやサンルーフに用いてもよい。また、自動車以外の、鉄道、航空機、船舶、宇宙船等の乗り物の窓に用いてもよい。
【００６３】
さらに、発熱板１０は、乗り物以外にも、特に室内と室外とを区画する箇所、例えばビルや店舗、住宅の窓等に使用することもできる。
【００６４】
なお、以上において上述した実施の形態に対するいくつかの変形例を説明してきたが、当然に、複数の変形例を適宜組み合わせて適用することも可能である。
【符号の説明】
【００６５】
１    自動車
５    フロントウィンドウ
７    電源
８    接続部
１０    発熱板
１１    ガラス板
１２    ガラス板
１３    接合層
１４    接合層
２０    導電体付きシート
２５    基材
２７    剥離層
３０    導電体
３５    接続端子部
４０    パターン導電体
４１    線状導電体
４２    分岐点
４３    開口
４５    導電性金属層
４６    第１の暗色層
４７    第２の暗色層
４８    レジスト層
４９    レジストパターン
９９    中間部材
【図１】
2020074269.tif 000003
【図２】
2020074269.tif 000004
【図３】
2020074269.tif 000005
【図４】
2020074269.tif 000006
【図５】
2020074269.tif 000007
【図６】
2020074269.tif 000008
【図７】
2020074269.tif 000009
【図８】
2020074269.tif 000010
【図９】
2020074269.tif 000011
【図１０】
2020074269.tif 000012
【図１１】
2020074269.tif 000013
【図１２】
2020074269.tif 000014
【図１３】
2020074269.tif 000015
【図１４】
2020074269.tif 000016
【図１５】
2020074269.tif 000017
【図１６】
2020074269.tif 000018
【図１７】
2020074269.tif 000019
【図１８】
2020074269.tif 000020
【図１９】
2020074269.tif 000021